(57)【要約】【課題】上部が開口した複数個の箱を上下に積み重ねた際に、上側に位置する箱が下側に位置する箱に対して多少ずれても、上側の箱が下側の箱に対して不用意に落下するなどの虞の少ない梱包用箱を提供する。【解決手段】四角形とした底板部と、この底板部の周囲から立設した相対向する一対の左右側板部及び相対向する一対の前後側板部とを備えた梱包用箱において、一対の前後側板部が、底板部から上方に向かうに従って互いに近接する方向に傾斜し、この前後側板部の上部には、ディスプレイ用開口窓が開設され、左右側板部には、運搬用開口窓の形成部が設けられている。【選択図】　図２
2004035067.tif 000002
【特許請求の範囲】
【請求項１】
四角形とした底板部と、この底板部の周囲から立設した相対向する一対の左右側板部及び相対向する一対の前後側板部とを備えた梱包用箱において、
一対の左右側板部と一対の前後側板部の少なくともいずれか一方が、底板部から上方に向かうに従って互いに近接する方向に傾斜していることを特徴とする梱包用箱。
【請求項２】
左右側板部と前後側板部の少なくともいずれか一方には、ディスプレイ用開口窓が開設されていることを特徴とする請求項１に記載の梱包用箱。
【請求項３】
左右側板部と前後側板部のいずれか一方には、運搬用開口窓の形成部が設けられていることを特徴とする請求項１に記載の梱包用箱。
【発明の詳細な説明】
［産業上の利用分野］
本発明は、例えばパック詰めされた洗剤液などの商品を複数個収容するための梱包用箱に関する。
【０００１】
［従来の技術］
一般にこの種の梱包用箱にあっては、例えば特開平１−２５４５４１号公報にも示されているように、四角形とした底板部と、この底板部周囲４辺から立設した相対向する一対の左右側板部及び相対向する一対の前後側板部とを備え、上部全面が開口している。
【０００２】
また以上の梱包用箱にあっては、左右側板部及び前後側板部は、いずれも底板部に対して直角に立ち上がっており、底板部と、左右側板部及び前後側板部の上端縁で画成される上部開口とは、略同一の形状及び大きさとなっている。
［発明が解決しようとする課題］
ところで商品を詰めた以上の構造の梱包箱を店舗に置く場合、上下に複数段積み重ねて、最上段の箱から順次商品を取り出してもらう方法が採られているが、前記した従来の梱包箱にあっては、底板部と左右側板部及び前後側板部の上端縁で画成される上部開口とが、略同一の形状及び大きさとなっていることから、たとえば上側の箱が下側の箱に対して少しでもずれると、上側の箱の底板部が、下側の箱の側板部の上端縁から外れてしまって、上側の箱が傾くなどして、内部に収容している商品が箱から飛び出したり、場合によっては上側の箱が落下する不具合もある。
【０００３】
本発明は、以上の実情に鑑みて開発したものであって、目的とするところは、上部が開口した複数個の箱を上下に積み重ねた際に、上側に位置する箱が下側に位置する箱に対して多少ずれても、上側の箱が下側の箱に対して不用意に落下するなどの虞の少ない梱包用箱を提供するにある。
［課題を解決するための手段］
以上の目的を達成するために、請求項１に記載の発明は、四角形とした底板部と、この底板部の周囲から立設した相対向する一対の左右側板部及び相対向する一対の前後側板部とを備えた梱包用箱において、一対の左右側板部と一対の前後側板部の少なくともいずれか一方が、底板部から上方に向かうに従って互いに近接する方向に傾斜していることを特徴とするものである。
【０００４】
請求項２に記載の発明は、請求項１に記載の梱包用箱において、左右側板部と前後側板部の少なくともいずれか一方には、ディスプレイ用開口窓が開設されていることを特徴とするものである。
【０００５】
また請求項３に記載の発明は、請求項１または２に記載の梱包用箱において左右側板部と前後側板部のいずれか一方には、運搬用開口窓の形成部が設けられていることを特徴とするものである。
［実施例］
次に本発明を図面に示す一実施例に従って詳述する。
【０００６】
図１は、本発明に係る梱包用箱Ｂを作成するために、予め所定の形に打ち抜き成型された段ボール紙１を示しものであって、この段ボール紙１には、横長の長方形に形成された底板部２と、この底板部２の四方の各側縁に連設された相対向する一対の左右側板部３ａ・３ｂ及び相対向する一対の前後側板部４ａ・４ｂとを備えている。
【０００７】
図に示す実施形態では、左右側板部３ａ・３ｂを、底辺側の左右夾角を等しくした台形に形成すると共に、左右側板部３ａ・３ｂの中央部位には、運搬用開口窓３０の形成部となる略Ｕ字状のスリット３１ａ・３１ｂを形成して、このスリット３１ａ・３１ｂで囲まれた部位を折り曲げることで、運搬用開口窓３０が開設されるようにしている。
【０００８】
また左右側板部３ａ・３ｂの左右両側縁には、前後側板部４ａ・４ｂの左右両側部に結合される結合フラップ５と、この結合フラップ５の遊端に連続して設けられる補強フラップ６とを備えている。
【０００９】
補強フラップ６は、結合フラップ５の内側面に重合する第１重合片６１と、左右側板部３ａ・３ｂにおける左右両側方の内側面に重合する第２重合片６２とから構成されている。
【００１０】
尚、左右側板部３ａ・３ｂと結合フラップ５との境界、結合フラップ５と補強フラップ６における第１重合片６１との境界、並びに第１重合片６１と第２重合片６２との境界にはそれぞれ、折り曲げを容易とするためのスリット７ａ・７ｂ・７ｃを破線状に形成している。
【００１１】
一方、前後側板部４ａ・４ｂは、横長とした長方形に形成され、その高さ方向の寸法Ｌ１は、左右側板部３ａ・３ｂの高さ方向の寸法Ｌ２の約３分の２としている。
【００１２】
そしてこの前後側板部４ａ・４ｂの左右両側部には、これら側板部４ａ・４ｂの遊端から基端側に向かってその途中まで延びるスリット７０ａ・７０ｂを設けて、この左右スリット７０ａ・７０ｂ間に補強フラップ８を設けている。
【００１３】
本発明にかかる箱は、以上の構成からなる段ボール紙１を次の手順で組立てたものである。
【００１４】
即ち先ず、図３に示すように、前後側板部４ａ・４ｂに設けた補強フラップ８を前後側板部４ａ・４ｂに対して折り曲げて、この補強フラップ８を前後側板部４ａ・４ｂの内面に糊付けする。
【００１５】
次に、図４に示すように、左右側板部３ａ・３ｂに設けた補強フラップ６を結合フラップ５に対してスリット７ｂに沿って折り曲げて、補強フラップ６の第１重合片６１を結合フラッブ５の内面に、また補強フラップ６の第２重合片６２を左右側板部３ａ・３ｂの内面にそれぞれ糊付けすると共に、第１重合片６１及び結合フラップ５を第２重合片６２及び左右側板部３ａ・３ｂに対してスリット７ａ７ｃに沿って折り曲げる。
【００１６】
次に図５に示すように、左右側板部３ａ・３ｂを底板部２に対して折り曲げた後、図６に示すように、前後側板部４ａ・４ｂを底板部２に対して折り曲げて、結合フラップ５を前後側板部４ａ・４ｂの側部内面に糊付けするのであって、これにより、図６に示すように、箱Ｂが出来上がる。
【００１７】
斯くして以上のごとく組み立てられた箱Ｂにあっては、一対の前後側板部４ａ・４ｂが、底板部２から上方に向かうに従って互いに近接する方向に傾斜し、上部開口９の奥行Ｗ１が、底板部２の奥行Ｗ２よりも狭くなる。
【００１８】
また前後側板部４ａ・４ｂの上部には、ディスプレイ用開口窓９０が開設されて、これにより、箱Ｂの内部に収容する商品Ｔを箱Ｂの前側若しくは後側から確認し易くなる。
【００１９】
そのため、商品Ｔを詰めた以上の箱Ｂを、例えば図２に示すように、上下に積み重ねた場合において、上側の箱Ｂが下側の箱Ｂに対して多少ずれ動いたとしても、底板部２が上部開口９よりも一回り大きく形成されているので、底板部２が左右側板部３ａ・３ｂ乃至前後側板部４ａ・４ｂの上端縁から外れるのが抑制され、この結果、上側に積まれた箱Ｂが不用意に傾いたりすることがないのである。
【００２０】
一方、箱Ｂを搬送する際には、スリット３１ａ・３１ｂに沿って運搬用開口窓３０の形成部を内方に折り曲げて、運搬用開口窓３０を開設し、この開口窓３０に手を掛けて箱Ｂの搬送作業が容易に行なえる。
【００２１】
以上の実施形態では、前後側板部４ａ・４ｂを傾斜させたが、左右側板部３ａ・３ｂを傾斜させてもよいし、あるいは前後側板部４ａ・４ｂ及び左右側板部３ａ・３ｂの両者を傾斜させてもよい
また以上の実施形態では、前後側板部４ａ・４ｂにディスプレイ用開口窓９０を設けたが、これに限定されるものではなく、例えば左右側板部３ａ・３ｂにディスプレイ用開口窓９０を設けても良いし、あるいは前後側板部４ａ・４ｂ及び左右側板部３ａ・３ｂの両者にディスプレイ用開口窓９０を設けてもよい。
【００２２】
また以上の実施形態では、左右側板部３ａ・３ｂに運搬用開口窓の形成部を設けたが、これに限定されるものではなく、前後側板部４ａ・４ｂに運搬用開口窓の形成部を設けてもよい。
【００２３】
［発明の効果］
以上の如く、請求項１に記載の発明によれば、四角形とした底板部と、この底板部の周囲から立設した相対向する一対の左右側板部及び相対向する一対の前後側板部とを備えた梱包用箱において、一対の左右側板部と一対の前後側板部の少なくともいずれか一方を、底板部から上方に向かうに従って互いに近接する方向に傾斜させたことにより、複数個の梱包用箱を上下に積み重ねた際に、上側に位置する箱が下側に位置する箱に対して多少ずれ動いても、上側の箱は下側の箱に対して確実に積み重なった状態を維持して、上側の箱が不用意に落下するなどの不具合を抑制することが出来る。
【００２４】
また請求項２に記載の発明によれば、請求項１に記載の梱包用箱において、左右側板部と前後側板部の少なくともいずれか一方に、ディスプレイ用開口窓を開設したことにより、請求項１に記載の発明の効果に加え、梱包している商品を箱の外側方から容易に見ることが出来、例えば店頭において箱に梱包したままで商品の陳列が行なえる。
【００２５】
また請求項３に記載の発明によれば、請求項１または２に記載の梱包用箱において、左右側板部と前後側板部のいずれか一方に、運搬用開口窓の形成部を設けたことにより、請求項１または２に記載の発明の効果に加え、運搬用開口窓を形成することで、この運搬用開口窓を介して箱の搬送が手軽に行なえる。
【図面の簡単な説明】
【図１】本発明にかかる箱を作成するのに用いる段ボール紙１の平面図。
【図２】商品を詰めた本発明の箱を上下に積み重ねた状態を示す斜視図。
【図３】本発明にかかる箱の組立て行程中の一過程を示す斜視図。
【図４】本発明にかかる箱の組立て行程中の一過程を示す斜視図。
【図５】本発明にかかる箱の組立て行程中の一過程を示す斜視図。
【図６】本発明にかかる箱の組立て行程中の一過程を示す斜視図。
【符号の説明】
１　　　段ボール紙
２　　　底板部
３ａ・３ｂ　左右側板部
４ａ・４ｂ　前後側板部
５　　　結合フラップ
６　　　補強フラップ
８　　　補強フラップ
９　　　上部開口
９０　　ディスプレイ用開口窓
Ｂ　　　箱
Ｔ　　　商品
【図１】
2004035067.tif 000003
【図２】
2004035067.tif 000004
【図３】
2004035067.tif 000005
【図４】
2004035067.tif 000006
【図５】
2004035067.tif 000007
【図６】
2004035067.tif 000008